(57)【要約】      （修正有）【課題】操作が簡単で、外観の美化が得られ、そして、椅子の全ての導線制御が、一つの導線制御棒に統合されるため、ユーザーが、容易に導線制御棒の設置位置を覚え、椅子に座るまま、直接に操作制御できる導線制御棒構造を提供する。【解決手段】導線制御棒１０は、枢着棒１の回転テーブル１７により、枠座内に枢着され、回転テーブルの両側に、導線係止槽３２が形成され、また、回転テーブルの先端に、複数の抵当面が形成され、弾条片により付勢されて定位され、また、枢着棒の操作棒１４の後方において、回転テーブルと交差する角度で枢着孔が形成され、それにより、もう一本の操縦棒３が枢着され、導線８が操縦され、導線制御棒が縦続タイプになり、複数の線によりそれぞれ、制御する効果が得られる。【選択図】図３
0003163497.tif 000002
【実用新案登録請求の範囲】
【請求項１】
主として、上記導線制御棒において、枢着棒の枠座内に枢着され二本の導線を引くことができる回転テーブルの両側に、導線係止槽が形成され、また、枢着棒の操作棒に、他の導線を操縦できるように、もう一本の操縦棒が枢着され、
枢着棒が、回転テーブルと、結合された操作棒とからなり、回転テーブルの先端に、複数の抵当面が形成され、また、操作棒において、導線槽と、回転テーブルの枢着孔と枢着角度になる枢着孔が設けられ、
枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において、抵当面に抵当する円弧状弾条片が設置され、
操縦棒が、枢着孔を有する棒体であり、棒体に、操作棒導線槽に対応する導線係止槽が形成され、
上記の部品により、各導線が、それぞれ、対応する導線係止槽を通して、椅子の各部の調整装置に接続され、枢着棒を回転することにより、操縦棒が連動されて、各導線が引かれ、椅子の調整を行うことができる、
ことを特徴とする椅子調整装置の導線制御棒構造。
【請求項２】
各導線が、シートの昇降調整やシートの前後調整、シートバックの傾斜動揺と調整まで延伸され、それを制御することができることを特徴とする請求項１に記載の椅子調整装置の導線制御棒構造。
【請求項３】
枢着棒と操縦棒が、異なる色を有し、外観により区別されることができることを特徴とする請求項１に記載の椅子調整装置の導線制御棒構造。
【請求項４】
主として、上記導線制御棒において、枢着棒の枠座内に枢着され二本の導線を引くことができる回転テーブルの両側に、導線係止槽が形成され、また、枢着棒の操作棒に、他の導線を操縦できるように、もう一本の操縦棒が枢着され、
枢着棒が、回転テーブルと、結合された操作棒とからなり、回転テーブルの先端に、複数の抵当面が形成され、また、操作棒に、枢着槽と、枢着槽の両側に対応する導線槽とが、形成され、枢着槽の両導線槽の間に、円弧状弾条片が介在し、
枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において、抵当面に抵当する円弧状弾条片が設置され、
操縦棒が、枢着槽に挿入される回転テーブルと、露出した握り部を有し、回転テーブルの両側に、操作棒の導線槽に対応する導線係止槽が設置され、また、回転テーブルの先端に、操作棒の円弧状弾条片により付勢される複数の抵当面が設置される、
ことを特徴とする椅子調整装置の導線制御棒構造。
【請求項５】
各導線が、シートの昇降調整やシートの前後調整、シートバックの傾斜動揺と調整まで延伸され、それを制御することができることを特徴とする請求項４に記載の椅子調整装置の導線制御棒構造。
【請求項６】
枢着棒と操縦棒が、異なる色を有し、外観により区別されることができることを特徴とする請求項４に記載の椅子調整装置の導線制御棒構造。
【請求項７】
主として、上記導線制御棒において、枢着棒の枠座内に枢着され二本の導線を引くことができる回転テーブルの両側に、導線係止槽が形成され、また、枢着棒の操作棒に、他の導線を操縦できるように、もう一本の操縦棒が枢着され、
枢着棒が、回転テーブルと、結合された操作棒とからなり、回転テーブルの先端に、複数の抵当面が形成され、また、操作棒に、二つの隣り合う導線槽が設置され、また、操作棒の端面に、ネジ孔が形成され、
枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において、抵当面に抵当する円弧状弾条片が設置され、
操縦棒が、ネジ棒を貫設するための中空軸孔を有し、操作棒のネジ孔に枢着される棒であり、操作棒に対向する棒面に、円弧槽が形成され、円弧槽の両側に、導線が接続されて操作棒導線槽から通す導線係止槽が形成され、また、操作棒の外部に、スリーブが貫設されて導線端部を固定する、
ことを特徴とする椅子調整装置の導線制御棒構造。
【請求項８】
各導線が、シートの昇降調整やシートの前後調整、シートバックの傾斜動揺と調整まで延伸され、それを制御することができることを特徴とする請求項７に記載の椅子調整装置の導線制御棒構造。
【請求項９】
枢着棒と操縦棒が、異なる色を有し、外観により区別されることができることを特徴とする請求項７に記載の椅子調整装置の導線制御棒構造。
【考案の詳細な説明】
【技術分野】
【０００１】
本考案は、椅子調整装置の導線制御棒構造に関し、特に、主として、上記導線制御棒において、導線を引く可能の枢着棒と、枢着棒の操作棒の後方に枢着される操縦棒と、が設置され、同一位置に設置された導線制御棒に、多段且つそれぞれ各導線を操縦できる機能を発揮でき、実装が簡単、操作が容易であるものに関する。
【背景技術】
【０００２】
快適な椅子は、数多い機能を発揮できる調整装置が実装され、例えば、シートの昇降調整やシートの前後調整、シートバックの傾斜動揺と調整等であり、これらの調整装置は、導線の引きにより制御されるため、それぞれの制御棒を集中に、シートの下方に設置され、ユーザーがそこで操作でき（導線の延伸によりシートの下方に設置されること）、そのため、機能良い椅子のシートの下方に、多い操作棒が設置され、ユーザーにより異なる機能が操作される。
【０００３】
しかしながら、上記の従来構造は、異なる機能を発揮させる制御棒が、シートの下方に設置され、ユーザーが手で操作することができるが、制御棒が多すぎるため、ユーザーが、その位置を確実に覚えることができず、ユーザーが調整を行う時、椅子を離れて制御棒を探すことがよくあり、これで、制御棒をシートの下方に設置する意味が失い（ユーザーが椅子に座るまま、直接に操作できる）、また、椅子の下方に、沢山の制御棒が設置されることにより美観に悪影響を与えられる。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案は、椅子調整装置の導線制御棒構造であり、主として、上記導線制御棒が、枢着棒の回転テーブルにより、枠座内に枢着され、回転テーブルの両側に、導線係止槽が形成され、また、回転テーブルの先端に、複数の抵当面が設置され、その抵当面が、弾条片に抵当することにより、所定の角度になって、また、枢着棒の操作棒の後方において、回転テーブルと交差する角度になる枢着孔が設置され、それに、もう一本の操縦棒が枢着され、導線を操縦でき、本考案に撚れば、次の利点が得られる。
【０００６】
本考案に係る導線制御棒は、縦続タイプの設計であり、枢着棒が、枠座に対して、異なる方向に回転する時、回転テーブルの一側にある導線係止槽を介して、上記導線を引いて作動させ（導線のもう一端により、シートの昇降調整やシートの前後調整、シートバックの傾斜動揺と調整等の一つが行われる）、また、枢着棒の操作棒の後方において、回転テーブルと交差する角度に枢着孔が設置され、これにより、更に他の操縦棒が枢着されて、もう一本の導線（或いは他の二本の導線）が操縦され、これにより、それぞれ、複数の導線を制御する機能が実現され、また、枢着棒と操縦棒との枢着角度が交差するため、ユーザーが、水平方向に操縦棒を回転する時、枢着棒が連動され、垂直方向に操縦棒を回転する時、直接に操縦棒を回転させ、操作が簡単で、外観の美化が得られ、そして、椅子の全ての導線制御が、一つの導線制御棒に統合されるため、ユーザーが、容易に導線制御棒の設置位置を覚え、椅子に座るまま、直接に操作制御できる。
【課題を解決するための手段】
【０００７】
請求項１の考案は、主として、上記導線制御棒において、枢着棒の枠座内に枢着され二本の導線を引くことができる回転テーブルの両側に、導線係止槽が形成され、また、枢着棒の操作棒に、他の導線を操縦できるように、もう一本の操縦棒が枢着され、枢着棒が、回転テーブルと、結合された操作棒とからなり、回転テーブルの先端に、複数の抵当面が形成され、また、操作棒において、導線槽と、回転テーブルの枢着孔と枢着角度になる枢着孔が設けられ、枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において、抵当面に抵当する円弧状弾条片が設置され、操縦棒が、枢着孔を有する棒体であり、棒体に、操作棒導線槽に対応する導線係止槽が形成され、上記の部品により、各導線が、それぞれ、対応する導線係止槽を通して、椅子の各部の調整装置に接続され、枢着棒を回転することにより、操縦棒が連動されて、各導線が引かれ、椅子の調整を行うことができる、ことを特徴とする椅子調整装置の導線制御棒構造である。
【０００８】
請求項２の考案は、各導線が、シートの昇降調整やシートの前後調整、シートバックの傾斜動揺と調整まで延伸され、それを制御することができることを特徴とする請求項１に記載の椅子調整装置の導線制御棒構造である。
【０００９】
請求項３の考案は、枢着棒と操縦棒が、異なる色を有し、外観により区別されることができることを特徴とする請求項１に記載の椅子調整装置の導線制御棒構造である。
【００１０】
請求項４の考案は、主として、上記導線制御棒において、枢着棒の枠座内に枢着され二本の導線を引くことができる回転テーブルの両側に、導線係止槽が形成され、また、枢着棒の操作棒に、他の導線を操縦できるように、もう一本の操縦棒が枢着され、枢着棒が、回転テーブルと、結合された操作棒とからなり、回転テーブルの先端に、複数の抵当面が形成され、また、操作棒に、枢着槽と、枢着槽の両側に対応する導線槽とが、形成され、枢着槽の両導線槽の間に、円弧状弾条片が介在し、枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において、抵当面に抵当する円弧状弾条片が設置され、操縦棒が、枢着槽に挿入される回転テーブルと、露出した握り部を有し、回転テーブルの両側に、操作棒の導線槽に対応する導線係止槽が設置され、また、回転テーブルの先端に、操作棒の円弧状弾条片により付勢される複数の抵当面が設置される、ことを特徴とする椅子調整装置の導線制御棒構造である。
【００１１】
請求項５の考案は、各導線が、シートの昇降調整やシートの前後調整、シートバックの傾斜動揺と調整まで延伸され、それを制御することができることを特徴とする請求項４に記載の椅子調整装置の導線制御棒構造である。
【００１２】
請求項６の考案は、枢着棒と操縦棒が、異なる色を有し、外観により区別されることができることを特徴とする請求項４に記載の椅子調整装置の導線制御棒構造である。
【００１３】
請求項７の考案は、主として、上記導線制御棒において、枢着棒の枠座内に枢着され二本の導線を引くことができる回転テーブルの両側に、導線係止槽が形成され、また、枢着棒の操作棒に、他の導線を操縦できるように、もう一本の操縦棒が枢着され、枢着棒が、回転テーブルと、結合された操作棒とからなり、回転テーブルの先端に、複数の抵当面が形成され、また、操作棒に、二つの隣り合う導線槽が設置され、また、操作棒の端面に、ネジ孔が形成され、枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において、抵当面に抵当する円弧状弾条片が設置され、操縦棒が、ネジ棒を貫設するための中空軸孔を有し、操作棒のネジ孔に枢着される棒であり、操作棒に対向する棒面に、円弧槽が形成され、円弧槽の両側に、導線が接続されて操作棒導線槽から通す導線係止槽が形成され、また、操作棒の外部に、スリーブが貫設されて導線端部を固定する、ことを特徴とする椅子調整装置の導線制御棒構造である。
【００１４】
請求項８の考案は、各導線が、シートの昇降調整やシートの前後調整、シートバックの傾斜動揺と調整まで延伸され、それを制御することができることを特徴とする請求項７に記載の椅子調整装置の導線制御棒構造である。
【００１５】
請求項９の考案は、枢着棒と操縦棒が、異なる色を有し、外観により区別されることができることを特徴とする請求項７に記載の椅子調整装置の導線制御棒構造である。
【００１６】
以下、図面を参照しながら、本考案の特徴や技術内容について、詳しく説明するが、それらの図面等は、参考や説明のためであり、本考案は、それによって制限されることが無い。
【考案を実施するための形態】
【００１７】
本考案は、椅子調整装置の導線制御棒構造であり、主として、枢着棒１の枠座２内に枢着される上記導線制御棒１０は、回転テーブル１７の両側に、導線係止槽１１が形成され、二本の導線８を引くことができ（図１乃至図３を参照する）、また、枢着棒１の操作棒１４の後方に、更に、回転テーブル１７の枢着孔１２と交差する角度に、枢着孔１５が設置され、それにより、もう一本の操縦棒３が枢着され、他の導線８を操縦できる縦続タイプであり、
枢着棒１は、回転テーブル１７に設置される枢着孔１２により、回転できるよう且つ後へ操作棒１４が伸びるように、枠座２内に枢着される設計であり、回転テーブル１７の両側に、導線係止槽１１が形成され、回転テーブル１７の先端に、複数の抵当面１３が設置され、そして、操作棒１４に、導線槽１６と、枢着孔１２と交差する枢着角度に、枢着孔１５が設置され、
枠座２は、回転テーブル１７を覆うように対向して枢着される上、下ケーシング２１、２２からなるケーシングであり、下ケーシング２２の先端に、ストッパー２３が設置され、また、導線係止槽１１に対応する導線槽２４が形成され、ストッパー２３の内部において、円弧状弾条片２５が設置され、
操縦棒３は、枢着孔３１を有する棒体であり、棒体に、導線槽１６に対応する導線係止槽３２が形成され、
上記の部品により、枢着棒１の回転テーブル１７が、枢着軸９１により、枠座２の内部に枢着され、また、回転テーブル１７の先端にある抵当面１３が、ストッパー２３の円弧状弾条片２５により付勢されて定位になり、両側にある導線係止槽１１の導線８が、導線槽２４に貫設され、後から伸びる操作棒１４が、枢着軸９２を介して操縦棒３が枢着されることにより、縦続タイプになり、そのため、他の導線８も、導線係止槽３２に貫設されることができ、上記のようになる導線制御棒１０は、ネジ９３により枠座２に螺着され、シートの下方に定位することができる。
【００１８】
導線槽２４を介して、導線係止槽３２から露出した導線８は、もう一端により、直接に、シートの昇降調整やシートの前後調整、シートバックの傾斜動揺と調整等を行うことができ、異なる調整装置を駆動して（図４は、多機能のシートシャーシ構造２０であり、導線８により引かれて、押え板２０１を駆動して昇降空気圧シリンダ２０２の昇降制御を行う以外、シートバックコンロッド２０３が、導線８により抵当ブロック２０４が引かれてシートバックが傾斜動揺と調整できる機能が実現され（図５のように）、また、図６のように、シートスライドレール２０５が、シート枠２０６に結合され、シートの前後調整装置になり（同じように、導線８により定位ブロック２０７が引かれてシートの調整機能が実現される）、以下は、本考案に係る導線制御棒１０の操作について、簡略に説明する。
【００１９】
まず、枢着棒１の回転テーブル１７に両側に、導線係止槽１１が設置されるため、導線８が接続され（図７のように）、また、回転テーブル１７に、円弧状弾条片２５によって定位される抵当面１３があるので、水平方向に操作棒１４を回転する時、回転テーブル１７の角度が変化され（円弧状弾条片２５が、他の抵当面１３に抵当するようになる）、これにより、導線８が引かれて、もう一本の導線８が弛められるようになり（図８のように、導線８が弛められる場合でも、調整装置が連動される）、そのため、導線８により引かれて上記調整装置を制御する目的が達成される。逆に、操作棒１４をもう一辺に回転される場合、もう一本の導線８が引かれて異なる目的の機能が実現され、そのように、複数の導線８により制御する利点が得られる。また、枢着棒１が、回転された後、円弧状弾条片２５により定位される状態になるため、ユーザーが操作棒１４を元の位置に戻さないと、持続的に導線８を引く状態に維持し、特に、シートバックの傾斜動揺と調整機能の導線８設置に適用され（例えば、持続的に引く場合、シートバックのコンロッドが固定されず、シートバックが、動揺状態に維持し、また、操作棒１４が、元の位置に戻されて導線８が弛められると、再び、シートバックのコンロッドが固定され、調整された後のシートバック角度が、維持される）。
【００２０】
また、操作棒１４において、枢着軸９２により操縦棒３が枢着される設計であるため、操縦棒３の導線係止槽３２に、他の導線８が設置され、導線槽１６から調整装置に伸びることができ（図９のように）、そのため、垂直方向に操縦棒３を回転する時、その導線８を引くことにより機能調整が行われ、縦続式構造により、複数の導線８で操作できる利点が得られる。
【００２１】
上記の説明において、回転テーブル１７の枢着孔１２と操作棒１４の枢着孔１５との角度が、交差する状態（異なる回転軸心方向）になるため、導線制御棒１０を操作して各導線８を引く時、直接に操縦棒３により連動され（垂直方向に操縦棒３を回転する時、操縦棒３の導線８を引き、水平方向に操縦棒３を回転する時、枢着棒１の導線８を引く）、ユーザーにより操作することが容易になり、全ての導線８が、一つの導線制御棒１０に統合される設計になり、ユーザーが、操作位置を覚えることが簡単になる。
【００２２】
以下は、本考案の他の実施例の構造である。
【００２３】
枠座２によって覆われて枢着される枢着棒１から後へ伸びる操作棒４に、枢着槽４１（図１０のように）と、枢着槽４１の両側に対応する導線槽４２が形成され、また、枢着槽４１の両導線槽４２の間に、円弧状弾条片４３が介在され、
操縦棒５は、枢着槽４１に位置して回転テーブル１７の枢着孔１２と交差する角度を有する回転テーブル５１と、それから伸びる握り部５４とがあり、回転テーブル５１の両側に、導線係止槽５２が形成され、また、回転テーブル５１の先端に、円弧状弾条片４３によって付勢される複数の抵当面５３が形成される（図１１のように）。
【００２４】
上記の部品によれば、操縦棒５の回転テーブル５１に、二本の両導線８が接続されることができ、導線槽４２から調整装置までに伸び、引かれることにより駆動され、また、枢着棒１と同様の操作形態のため（差異は、水平回転と垂直回転の方向が異なるだけである）、そのため、ユーザーが、水平方向に回転することや垂直方向に回転すること等により、異なる導線８を操作でき、複数線制御の導線制御棒１０の目的を実現される。
【００２５】
以下は、本考案の更に他の実施例の構造である。
【００２６】
枠座２によって覆われて枢着される枢着棒１から後へ伸びる操作棒６に、二つの隣り合う導線槽６１が形成され（図１２のように）、操作棒６の端面に、ネジ孔６２が形成され、
操縦棒７は、中空軸孔７１に設置され、ネジ棒７２が貫設される棒であり、操作棒６に対向する棒面に、円弧槽７３が形成され、円弧槽７３の両側に、導線係止槽７４が形成され、また、操作棒７の外部に、スリーブ７５が嵌合される（図１３のように）。
【００２７】
上記の部品によれば、操縦棒７は、中空軸孔７１にネジ棒７２が貫設されて、操作棒６の端面にあるネジ孔６２に螺着され、操縦棒７が、ネジ棒７２と操作棒６との間に枢着される状態になり、この時、導線８が、操縦棒７の導線係止槽７４に設置され、円弧槽７３を介して、導線槽６１を通し、調整装置まで伸び、そのため、引かれて駆動されることができ、また、更に、スリーブ７５が、操作棒７の外部に貫設されて、導線８の端部が、固定されて導線係止槽７４から脱離することがない。操作する時、操縦棒７を水平方向に回転して枢着棒１の導線８が連動され、また、直接に、操縦棒７を回転させ（時計回りや逆時計回り）、導線係止槽７４にある導線８が引かれて、時計回りや逆時計回りに、操縦棒７が操作されると、一本の導線８が引かれて椅子を調整する機能が発揮でき、また、操作が簡単である。
【００２８】
上記の各実施例は、同じように、回転によって操作され、また、縦続的且つ異なる回転軸心によって構成されるため、操縦棒３、５、７によって枢着棒１が作動され、また、操縦棒３、５、７の本体の回転により、異なる導線８が作動され、優れた効果が得られ、そのため、本考案によれば、枢着棒１の導線８を、シートバックの傾斜動揺と調整専用とし、操縦棒３、５、７の導線８を、シートの昇降や前後調整専用とし、また、ユーザーが、より明白的に、導線制御棒１０の縦続設計を分かる為、そして、異なる専用部位について調整できるため、枢着棒１と操縦棒３、５、７とが、異なる色によって外観を区別でき、例えば、枢着棒１が赤色で、シートバックの傾斜動揺や調整とし、また、操縦棒３、５、７が、紺色で、シートの昇降や前後調整とすることができる。
【００２９】
そのため、本考案は、より進歩的かつより実用的で、法に従って実用新案登録請求を出願する。
【００３０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３１】
【図１】本考案の構造図
【図２】本考案の組立て図
【図３】本考案の実施概念図
【図４】シートシャーシの構造参考図（シート昇降調整）
【図５】導線が抵当ブロックまで伸びてシートバックコンロッドが連動される状態の参考図（シートバック傾角動揺や調整）
【図６】導線が定位ブロックまで伸びる上体の参考図（シート前後調整）
【図７】本考案に係る導線制御棒の枢着棒構造図
【図８】本考案に係る導線制御棒の枢着棒操作図
【図９】本考案に係る導線制御棒の操縦棒操作図
【図１０】本考案の他の導線制御棒の構造図
【図１１】本考案の更に他の導線制御棒の操作図
【図１２】本考案の更に他の導線制御棒の構造図
【図１３】本考案の更に他の導線制御棒の操作図
【符号の説明】
【００３２】
１  枢着棒
１０  導線制御棒
１１  導線係止槽
１２  枢着孔
１３  抵当面
１４  操作棒
１５  枢着孔
１６  導線槽
１７  回転テーブル
２  枠座
２０  シートシャーシ構造
２０１  押え板
２０２  昇降空気圧シリンダ
２０３  シートバックコンロッド
２０４  抵当ブロック
２０５  シートスライドレール
２０６  シート枠
２０７  定位ブロック
２１  上ケーシング
２２  下ケーシング
２３  ストッパー
２４  導線槽
２５  円弧状弾条片
３  操縦棒
３１  枢着孔
３２  導線係止槽
４  操作棒
４１  枢着槽
４２  導線槽
４３  円弧状弾条片
５  操縦棒
５１  回転テーブル
５２  導線係止槽
５３  抵当面
６  操作棒
６１  ネジ孔
７  操縦棒
７１  中空軸孔
７２  ネジ棒
７３  円弧槽
７４  導線係止槽
７５  スリーブ
８  導線
９１  枢着軸
９２  枢着軸
９３  ネジ
【図１】
0003163497.tif 000003
【図２】
0003163497.tif 000004
【図３】
0003163497.tif 000005
【図４】
0003163497.tif 000006
【図５】
0003163497.tif 000007
【図６】
0003163497.tif 000008
【図７】
0003163497.tif 000009
【図８】
0003163497.tif 000010
【図９】
0003163497.tif 000011
【図１０】
0003163497.tif 000012
【図１１】
0003163497.tif 000013
【図１２】
0003163497.tif 000014
【図１３】
0003163497.tif 000015
【手続補正書】
【提出日】平成22年8月17日(2010.8.17)
【手続補正１】
【補正対象書類名】実用新案登録請求の範囲
【補正対象項目名】全文
【補正方法】変更
【補正の内容】
【実用新案登録請求の範囲】
【請求項１】
椅子調整装置の導線制御棒において、該導線制御棒の枢着棒の枠座内に枢着され二本の導線を引くことができる回転テーブルの両側に、導線係止槽が形成され、枢着棒の操作棒に、他の導線を操縦できるように、もう一本の操縦棒が枢着され、
上記枢着棒が、回転テーブルと、結合された操作棒とからなり、回転テーブルの先端に、複数の抵当面が形成され、操作棒において、導線槽と回転テーブルの枢着孔と枢着角度になる枢着孔が設けられ、
上記枠座が、回転テーブルを覆うように枢着される上、下ケーシングからなるケーシングであり、下ケーシングの先端に、ストッパーが設置され、回転テーブルの導線係止槽に対応する導線槽が形成され、ストッパーの内部に抵当面に抵当する円弧状弾条片が設置され、
上記操縦棒が、枢着孔を有する棒体であり、棒体に、操作棒導線槽に対応する導線係止槽が形成され、
上記の構成から成る導線制御棒の操縦棒の操作により、各導線が、それぞれ、対応する導線係止槽を通して、椅子の各部の調整装置に接続され、枢着棒を回転することにより、操縦棒が連動されて、各導線が引かれ、椅子の調整を行うことができる構成とした、
ことを特徴とする椅子調整装置の導線制御棒。
【請求項２】
各導線が、シートの昇降調整やシートの前後調整、シートバックの傾斜動揺と調整まで延伸され、それを制御することができる構成としたことを特徴とする請求項１に記載の椅子調整装置の導線制御棒。
【請求項３】
枢着棒と操縦棒が、異なる色を有し、外観により区別されることができる構成としたことを特徴とする請求項１に記載の椅子調整装置の導線制御棒。
【請求項４】
椅子調整装置の導線制御棒において、該導線制御棒の枢着棒の枠座内に枢着され二本の導線を引くことができる回転テーブルの両側に、導線係止槽が形成され、枢着棒の操作棒に、他の導線を操縦できるように、もう一本の操縦棒が枢着され、
上記枢着棒が、回転テーブルと、結合された操作棒とからなり、回転テーブルの先端に、複数の抵当面が形成され、操作棒に、枢着槽と、枢着槽の両側に対応する導線槽とが、形成され、枢着槽の両導線槽の間に、円弧状弾条片が介在し、
上記枠座が、回転テーブルを覆うように枢着される上、下ケーシングからなるケーシングであり、下ケーシングの先端に、ストッパーが設置され、回転テーブルの導線係止槽に対応する導線槽が形成され、ストッパーの内部に抵当面に抵当する円弧状弾条片が設置され、
上記操縦棒が、枢着槽に挿入される回転テーブルと、露出した握り部を有し、回転テーブルの両側に、操作棒の導線槽に対応する導線係止槽が設置され、回転テーブルの先端に、操作棒の円弧状弾条片により付勢される複数の抵当面が設置される構成とした、
ことを特徴とする椅子調整装置の導線制御棒。
【請求項５】
各導線が、シートの昇降調整やシートの前後調整、シートバックの傾斜動揺と調整まで延伸され、それを制御することができる構成としたことを特徴とする請求項４に記載の椅子調整装置の導線制御棒。
【請求項６】
枢着棒と操縦棒が、異なる色を有し、外観により区別されることができる構成としたことを特徴とする請求項４に記載の椅子調整装置の導線制御棒。
【請求項７】
椅子調整装置の導線制御棒において、該導線制御棒の枢着棒の枠座内に枢着され二本の導線を引くことができる回転テーブルの両側に、導線係止槽が形成され、枢着棒の操作棒に、他の導線を操縦できるように、もう一本の操縦棒が枢着され、
上記枢着棒が、回転テーブルと、結合された操作棒とからなり、回転テーブルの先端に、複数の抵当面が形成され、操作棒に、二つの隣り合う導線槽が設置され、操作棒の端面に、ネジ孔が形成され、
上記枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において抵当面に抵当する円弧状弾条片が設置され、
上記操縦棒が、ネジ棒を貫設するための中空軸孔を有し、操作棒のネジ孔に枢着される棒であり、操作棒に対向する棒面に、円弧槽が形成され、円弧槽の両側に、導線が接続されて操作棒導線槽から通す導線係止槽が形成され、操作棒の外部に、スリーブが貫設されて導線端部を固定する構成とした、
ことを特徴とする椅子調整装置の導線制御棒。
【請求項８】
各導線が、シートの昇降調整やシートの前後調整、シートバックの傾斜動揺と調整まで延伸され、それを制御することができる構成としたことを特徴とする請求項７に記載の椅子調整装置の導線制御棒。
【請求項９】
枢着棒と操縦棒が、異なる色を有し、外観により区別されることができる構成としたことを特徴とする請求項７に記載の椅子調整装置の導線制御棒。
【手続補正２】
【補正対象書類名】明細書
【補正対象項目名】全文
【補正方法】変更
【補正の内容】
【考案の詳細な説明】
【技術分野】
【０００１】
本考案は、椅子調整装置の導線制御棒に関し、特に、椅子調整装置の導線制御棒の導線制御棒において、導線を引く可能の枢着棒と、枢着棒の操作棒の後方に枢着される操縦棒と、が設置され、同一位置に設置された導線制御棒に、多段且つそれぞれ各導線を操縦できる機能を発揮でき、実装が簡単、操作が容易であるものに関する。
【背景技術】
【０００２】
快適な椅子は、数多い機能を発揮できる調整装置が実装され、例えば、シートの昇降調整やシートの前後調整、シートバックの傾斜動揺と調整等であり、これらの調整装置は、導線の引きにより制御されるため、それぞれの制御棒を集中に、シートの下方に設置され、ユーザーがそこで操作でき（導線の延伸によりシートの下方に設置されること）、そのため、機能良い椅子のシートの下方に、多い操作棒が設置され、ユーザーにより異なる機能が操作される。
【０００３】
しかしながら、上記の従来構造は、異なる機能を発揮させる制御棒が、シートの下方に設置され、ユーザーが手で操作することができるが、制御棒が多すぎるため、ユーザーが、その位置を確実に覚えることができず、ユーザーが調整を行う時、椅子を離れて制御棒を探すことがよくあり、これで、制御棒をシートの下方に設置する意味が失い（ユーザーが椅子に座るまま、直接に操作できる）、また、椅子の下方に、沢山の制御棒が設置されることにより美観に悪影響を与えられる。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案は、椅子調整装置の導線制御棒であり、主として、上記導線制御棒が、枢着棒の回転テーブルにより、枠座内に枢着され、回転テーブルの両側に、導線係止槽が形成され、また、回転テーブルの先端に、複数の抵当面が設置され、その抵当面が、弾条片に抵当することにより、所定の角度になって、また、枢着棒の操作棒の後方において、回転テーブルと交差する角度になる枢着孔が設置され、それに、もう一本の操縦棒が枢着され、導線を操縦でき、本考案に撚れば、次の利点が得られる。
【０００６】
本考案に係る椅子調整装置の導線制御棒の導線制御棒は、縦続タイプの設計であり、枢着棒が、枠座に対して、異なる方向に回転する時、回転テーブルの一側にある導線係止槽を介して、上記導線を引いて作動させ（導線のもう一端により、シートの昇降調整やシートの前後調整、シートバックの傾斜動揺と調整等の一つが行われる）、また、枢着棒の操作棒の後方において、回転テーブルと交差する角度に枢着孔が設置され、これにより、更に他の操縦棒が枢着されて、もう一本の導線（或いは他の二本の導線）が操縦され、これにより、それぞれ、複数の導線を制御する機能が実現され、また、枢着棒と操縦棒との枢着角度が交差するため、ユーザーが、水平方向に操縦棒を回転する時、枢着棒が連動され、垂直方向に操縦棒を回転する時、直接に操縦棒を回転させ、操作が簡単で、外観の美化が得られ、そして、椅子の全ての導線制御が、一つの導線制御棒に統合されるため、ユーザーが、容易に導線制御棒の設置位置を覚え、椅子に座るまま、直接に操作制御できる。
【課題を解決するための手段】
【０００７】
請求項１の考案は、椅子調整装置の導線制御棒において、該導線制御棒の枢着棒の枠座内に枢着され二本の導線を引くことができる回転テーブルの両側に、導線係止槽が形成され、また、枢着棒の操作棒に、他の導線を操縦できるように、もう一本の操縦棒が枢着され、枢着棒が、回転テーブルと、結合された操作棒とからなり、回転テーブルの先端に、複数の抵当面が形成され、また、操作棒において、導線槽と、回転テーブルの枢着孔と枢着角度になる枢着孔が設けられ、枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において、抵当面に抵当する円弧状弾条片が設置され、操縦棒が、枢着孔を有する棒体であり、棒体に、操作棒導線槽に対応する導線係止槽が形成され、上記の部品により、各導線が、それぞれ、対応する導線係止槽を通して、椅子の各部の調整装置に接続され、枢着棒を回転することにより、操縦棒が連動されて、各導線が引かれ、椅子の調整を行うことができる構成とした考案である。
【０００８】
請求項２の考案は、各導線が、シートの昇降調整やシートの前後調整、シートバックの傾斜動揺と調整まで延伸され、それを制御することができる構成とした考案である。
【０００９】
請求項３の考案は、枢着棒と操縦棒が、異なる色を有し、外観により区別されることができる構成とした考案である。
【００１０】
請求項４の考案は、椅子調整装置の導線制御棒において、該導線制御棒の枢着棒の枠座内に枢着され二本の導線を引くことができる回転テーブルの両側に、導線係止槽が形成され、また、枢着棒の操作棒に、他の導線を操縦できるように、もう一本の操縦棒が枢着され、枢着棒が、回転テーブルと、結合された操作棒とからなり、回転テーブルの先端に、複数の抵当面が形成され、また、操作棒に、枢着槽と、枢着槽の両側に対応する導線槽とが、形成され、枢着槽の両導線槽の間に、円弧状弾条片が介在し、枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において、抵当面に抵当する円弧状弾条片が設置され、操縦棒が、枢着槽に挿入される回転テーブルと、露出した握り部を有し、回転テーブルの両側に、操作棒の導線槽に対応する導線係止槽が設置され、また、回転テーブルの先端に、操作棒の円弧状弾条片により付勢される複数の抵当面が設置される構成とした考案である。
【００１１】
請求項５の考案は、各導線が、シートの昇降調整やシートの前後調整、シートバックの傾斜動揺と調整まで延伸され、それを制御することができる構成とした考案である。
【００１２】
請求項６の考案は、枢着棒と操縦棒が、異なる色を有し、外観により区別されることができる構成とした考案である。
【００１３】
請求項７の考案は、椅子調整装置の導線制御棒構造の導線制御棒において、該導線制御棒の枢着棒の枠座内に枢着され二本の導線を引くことができる回転テーブルの両側に、導線係止槽が形成され、また、枢着棒の操作棒に、他の導線を操縦できるように、もう一本の操縦棒が枢着され、枢着棒が、回転テーブルと、結合された操作棒とからなり、回転テーブルの先端に、複数の抵当面が形成され、また、操作棒に、二つの隣り合う導線槽が設置され、また、操作棒の端面に、ネジ孔が形成され、枠座が、回転テーブルを覆うように枢着される上、下ケーシングからなるケーシングであり、下ケーシングの先端に、ストッパーが設置され、また、回転テーブルの導線係止槽に対応する導線槽が形成され、ストッパーの内部において、抵当面に抵当する円弧状弾条片が設置され、操縦棒が、ネジ棒を貫設するための中空軸孔を有し、操作棒のネジ孔に枢着される棒であり、操作棒に対向する棒面に、円弧槽が形成され、円弧槽の両側に、導線が接続されて操作棒導線槽から通す導線係止槽が形成され、また、操作棒の外部に、スリーブが貫設されて導線端部を固定する構成とした考案である。
【００１４】
請求項８の考案は、各導線が、シートの昇降調整やシートの前後調整、シートバックの傾斜動揺と調整まで延伸され、それを制御することができる構成とした考案である。
【００１５】
請求項９の考案は、枢着棒と操縦棒が、異なる色を有し、外観により区別されることができる構成とした考案である。
【００１６】
以下、図面を参照しながら、本考案の特徴や技術内容について、詳しく説明するが、それらの図面等は、参考や説明のためであり、本考案は、それによって制限されることが無い。
【考案を実施するための形態】
【００１７】
本考案は、椅子調整装置の導線制御棒であり、枢着棒１の枠座２内に枢着される導線制御棒１０は、回転テーブル１７の両側に、導線係止槽１１が形成され、二本の導線８を引くことができ（図１乃至図３を参照する）、また、枢着棒１の操作棒１４の後方に、更に、回転テーブル１７の枢着孔１２と交差する角度に、枢着孔１５が設置され、それにより、もう一本の操縦棒３が枢着され、他の導線８を操縦できる縦続タイプであり、
枢着棒１は、回転テーブル１７に設置される枢着孔１２により、回転できるよう且つ後へ操作棒１４が伸びるように、枠座２内に枢着される設計であり、回転テーブル１７の両側に、導線係止槽１１が形成され、回転テーブル１７の先端に、複数の抵当面１３が設置され、そして、操作棒１４に、導線槽１６と、枢着孔１２と交差する枢着角度に、枢着孔１５が設置され、
枠座２は、回転テーブル１７を覆うように対向して枢着される上、下ケーシング２１、２２からなるケーシングであり、下ケーシング２２の先端に、ストッパー２３が設置され、また、導線係止槽１１に対応する導線槽２４が形成され、ストッパー２３の内部において、円弧状弾条片２５が設置され、
操縦棒３は、枢着孔３１を有する棒体であり、棒体に、導線槽１６に対応する導線係止槽３２が形成され、
上記の部品により、枢着棒１の回転テーブル１７が、枢着軸９１により、枠座２の内部に枢着され、また、回転テーブル１７の先端にある抵当面１３が、ストッパー２３の円弧状弾条片２５により付勢されて定位になり、両側にある導線係止槽１１の導線８が、導線槽２４に貫設され、後から伸びる操作棒１４が、枢着軸９２を介して操縦棒３が枢着されることにより、縦続タイプになり、そのため、他の導線８も、導線係止槽３２に貫設されることができ、上記のようになる導線制御棒１０は、ネジ９３により枠座２に螺着され、シートの下方に定位することができる。
【００１８】
導線槽２４を介して、導線係止槽３２から露出した導線８は、もう一端により、直接に、シートの昇降調整やシートの前後調整、シートバックの傾斜動揺と調整等を行うことができ、異なる調整装置を駆動して（図４は、多機能のシートシャーシ構造２０であり、導線８により引かれて、押え板２０１を駆動して昇降空気圧シリンダ２０２の昇降制御を行う以外、シートバックコンロッド２０３が、導線８により抵当ブロック２０４が引かれてシートバックが傾斜動揺と調整できる機能が実現され（図５のように）、また、図６のように、シートスライドレール２０５が、シート枠２０６に結合され、シートの前後調整装置になり（同じように、導線８により定位ブロック２０７が引かれてシートの調整機能が実現される）、以下は、本考案に係る導線制御棒１０の操作について、簡略に説明する。
【００１９】
まず、枢着棒１の回転テーブル１７に両側に、導線係止槽１１が設置されるため、導線８が接続され（図７のように）、また、回転テーブル１７に、円弧状弾条片２５によって定位される抵当面１３があるので、水平方向に操作棒１４を回転する時、回転テーブル１７の角度が変化され（円弧状弾条片２５が、他の抵当面１３に抵当するようになる）、これにより、導線８が引かれて、もう一本の導線８が弛められるようになり（図８のように、導線８が弛められる場合でも、調整装置が連動される）、そのため、導線８により引かれて上記調整装置を制御する目的が達成される。逆に、操作棒１４をもう一辺に回転される場合、もう一本の導線８が引かれて異なる目的の機能が実現され、そのように、複数の導線８により制御する利点が得られる。また、枢着棒１が、回転された後、円弧状弾条片２５により定位される状態になるため、ユーザーが操作棒１４を元の位置に戻さないと、持続的に導線８を引く状態に維持し、特に、シートバックの傾斜動揺と調整機能の導線８設置に適用され（例えば、持続的に引く場合、シートバックのコンロッドが固定されず、シートバックが、動揺状態に維持し、また、操作棒１４が、元の位置に戻されて導線８が弛められると、再び、シートバックのコンロッドが固定され、調整された後のシートバック角度が、維持される）。
【００２０】
また、操作棒１４において、枢着軸９２により操縦棒３が枢着される設計であるため、操縦棒３の導線係止槽３２に、他の導線８が設置され、導線槽１６から調整装置に伸びることができ（図９のように）、そのため、垂直方向に操縦棒３を回転する時、その導線８を引くことにより機能調整が行われ、縦続式構造により、複数の導線８で操作できる利点が得られる。
【００２１】
上記の説明において、回転テーブル１７の枢着孔１２と操作棒１４の枢着孔１５との角度が、交差する状態（異なる回転軸心方向）になるため、導線制御棒１０を操作して各導線８を引く時、直接に操縦棒３により連動され（垂直方向に操縦棒３を回転する時、操縦棒３の導線８を引き、水平方向に操縦棒３を回転する時、枢着棒１の導線８を引く）、ユーザーにより操作することが容易になり、全ての導線８が、一つの導線制御棒１０に統合される設計になり、ユーザーが、操作位置を覚えることが簡単になる。
【００２２】
以下は、本考案の他の実施例の構造である。
【００２３】
枠座２によって覆われて枢着される枢着棒１から後へ伸びる操作棒４に、枢着槽４１（図１０のように）と、枢着槽４１の両側に対応する導線槽４２が形成され、また、枢着槽４１の両導線槽４２の間に、円弧状弾条片４３が介在され、
操縦棒５は、枢着槽４１に位置して回転テーブル１７の枢着孔１２と交差する角度を有する回転テーブル５１と、それから伸びる握り部５４とがあり、回転テーブル５１の両側に、導線係止槽５２が形成され、また、回転テーブル５１の先端に、円弧状弾条片４３によって付勢される複数の抵当面５３が形成される（図１１のように）。
【００２４】
上記の部品によれば、操縦棒５の回転テーブル５１に、二本の両導線８が接続されることができ、導線槽４２から調整装置までに伸び、引かれることにより駆動され、また、枢着棒１と同様の操作形態のため（差異は、水平回転と垂直回転の方向が異なるだけである）、そのため、ユーザーが、水平方向に回転することや垂直方向に回転すること等により、異なる導線８を操作でき、複数線制御の導線制御棒１０の目的を実現される。
【００２５】
以下は、本考案の更に他の実施例の構造である。
【００２６】
枠座２によって覆われて枢着される枢着棒１から後へ伸びる操作棒６に、二つの隣り合う導線槽６１が形成され（図１２のように）、操作棒６の端面に、ネジ孔６２が形成され、
操縦棒７は、中空軸孔７１に設置され、ネジ棒７２が貫設される棒であり、操作棒６に対向する棒面に、円弧槽７３が形成され、円弧槽７３の両側に、導線係止槽７４が形成され、また、操作棒７の外部に、スリーブ７５が嵌合される（図１３のように）。
【００２７】
上記の部品によれば、操縦棒７は、中空軸孔７１にネジ棒７２が貫設されて、操作棒６の端面にあるネジ孔６２に螺着され、操縦棒７が、ネジ棒７２と操作棒６との間に枢着される状態になり、この時、導線８が、操縦棒７の導線係止槽７４に設置され、円弧槽７３を介して、導線槽６１を通し、調整装置まで伸び、そのため、引かれて駆動されることができ、また、更に、スリーブ７５が、操作棒７の外部に貫設されて、導線８の端部が、固定されて導線係止槽７４から脱離することがない。操作する時、操縦棒７を水平方向に回転して枢着棒１の導線８が連動され、また、直接に、操縦棒７を回転させ（時計回りや逆時計回り）、導線係止槽７４にある導線８が引かれて、時計回りや逆時計回りに、操縦棒７が操作されると、一本の導線８が引かれて椅子を調整する機能が発揮でき、また、操作が簡単である。
【００２８】
上記の各実施例は、同じように、回転によって操作され、また、縦続的且つ異なる回転軸心によって構成されるため、操縦棒３、５、７によって枢着棒１が作動され、また、操縦棒３、５、７の本体の回転により、異なる導線８が作動され、優れた効果が得られ、そのため、本考案によれば、枢着棒１の導線８を、シートバックの傾斜動揺と調整専用とし、操縦棒３、５、７の導線８を、シートの昇降や前後調整専用とし、また、ユーザーが、より明白的に、導線制御棒１０の縦続設計を分かる為、そして、異なる専用部位について調整できるため、枢着棒１と操縦棒３、５、７とが、異なる色によって外観を区別でき、例えば、枢着棒１が赤色で、シートバックの傾斜動揺や調整とし、また、操縦棒３、５、７が、紺色で、シートの昇降や前後調整とすることができる。
【００２９】
そのため、本考案は、より進歩的かつより実用的で、法に従って実用新案登録請求を出願する。
【００３０】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３１】
【図１】本考案の構造図
【図２】本考案の組立て図
【図３】本考案の実施概念図
【図４】シートシャーシの構造参考図（シート昇降調整）
【図５】導線が抵当ブロックまで伸びてシートバックコンロッドが連動される状態の参考図（シートバック傾角動揺や調整）
【図６】導線が定位ブロックまで伸びる上体の参考図（シート前後調整）
【図７】本考案に係る導線制御棒の枢着棒構造図
【図８】本考案に係る導線制御棒の枢着棒操作図
【図９】本考案に係る導線制御棒の操縦棒操作図
【図１０】本考案の他の導線制御棒の構造図
【図１１】本考案の更に他の導線制御棒の操作図
【図１２】本考案の更に他の導線制御棒の構造図
【図１３】本考案の更に他の導線制御棒の操作図
【符号の説明】
【００３２】
１  枢着棒
１０  導線制御棒
１１  導線係止槽
１２  枢着孔
１３  抵当面
１４  操作棒
１５  枢着孔
１６  導線槽
１７  回転テーブル
２  枠座
２０  シートシャーシ構造
２０１  押え板
２０２  昇降空気圧シリンダ
２０３  シートバックコンロッド
２０４  抵当ブロック
２０５  シートスライドレール
２０６  シート枠
２０７  定位ブロック
２１  上ケーシング
２２  下ケーシング
２３  ストッパー
２４  導線槽
２５  円弧状弾条片
３  操縦棒
３１  枢着孔
３２  導線係止槽
４  操作棒
４１  枢着槽
４２  導線槽
４３  円弧状弾条片
５  操縦棒
５１  回転テーブル
５２  導線係止槽
５３  抵当面
６  操作棒
６１  ネジ孔
７  操縦棒
７１  中空軸孔
７２  ネジ棒
７３  円弧槽
７４  導線係止槽
７５  スリーブ
８  導線
９１  枢着軸
９２  枢着軸
９３  ネジ